(57)【特許請求の範囲】
【請求項１】
食器洗い機本体と、この食器洗い機本体前方部に設けた第１の蓋体と、前記食器洗い機本体下方から前記食器洗い機本体を支持する支持台と、この支持台前方部に一定間隔で複数の高さ位置に設けた左右複数対の係止部のいずれか一対で係止される第２の蓋体とを備え、前記第１の蓋体は、蓋部Ａと、第１の蓋体の高さ寸法を調整する複数枚の調整部材Ａと、化粧板Ａと、この化粧板Ａを支持する枠体Ａを有し、前記第２の蓋体は、蓋部Ｂと、第２の蓋体の高さ寸法を調整する複数枚の調整部材Ｂと、化粧板Ｂと、この化粧板Ｂを支持する枠体Ｂを有し、前記調整部材Ａの高さ寸法と前記調整部材Ｂの高さ寸法と前記左右複数対の係止部の一定間隔とを等しくするとともに、前記調整部材Ａを必要枚数取り付けて前記第１の蓋体を前記食器洗い機本体に、前記調整部材Ａの取り付け枚数と同じ枚数前記調整部材Ｂを取り外して前記第２の蓋体を、前記調整部材Ａの取り付け枚数と等しい高さ下方にある一対の係止部で前記支持台に、それぞれ取り付けることにより、前記第１の蓋体の下端面と前記第２の蓋体の上端面の位置を、両者間の隙間寸法を一定に保ちつつ、それぞれ上下方向に複数段階に調整可能とした食器洗い機。
【請求項２】
調整部材Ａと調整部材Ｂは同一形状とした請求項１に記載の食器洗い機。
【請求項３】
調整部材Ａと蓋部Ａはねじで締結する構成とし、前記調整部材Ａは、前記蓋部Ａとの締結位置に、後方を開放した切り欠き部を有し、この切り欠き部の幅は、前記ねじのねじ頭部の直径よりも狭く、ねじ部の外径よりも広い寸法とした請求項１または２に記載の食器洗い機。
【請求項４】
枠体Ａは、化粧板Ａを左右から支持するための第１の枠体と、前記化粧板Ａを下方から支持するための第２の枠体で構成した請求項１〜３のいずれか１項に記載の食器洗い機。
【請求項５】
第１の枠体の上方または下方の少なくとも一方に、調整切断用の溝部を設けた請求項４に記載の食器洗い機。
【請求項６】
第２の枠体は、蓋部Ａと調整部材Ａを締結するために使用する工具を挿入できる挿入部を設けた請求項４または５に記載の食器洗い機。
【発明の詳細な説明】
【０００１】
【発明の属する技術分野】
本発明は、システムキッチンの内部に設置して使用する食器洗い機に関する。
【０００２】
【従来の技術】
近年、設備機器の一つとしてシステムキッチンの内部に設置して使用する食器洗い機が増えてきている。
【０００３】
従来、この種の食器洗い機は図１１および図１２に示すような構成をしているものであった。以下、その構成について説明する。
【０００４】
図１１に示すように、食器洗い機本体１は支持台２の上に固定されており、支持台２はシステムキッチン３内に設置されている。食器洗い機本体１の外箱４は前方に開口部を有するとともに、レール５を介して洗浄槽６を前後方向に移動可能に支持している。洗浄槽６は前方には第１の蓋体７を設けており、外箱４の前方の開口部を開閉する。また、外箱４の内部には、洗浄槽６の上方開口部を開閉自在に覆う洗浄槽蓋８を設けている。支持台２の下方の空間は、食器洗い機本体１の背面から出る給排水のための本体配管９とシステムキッチン３内にあらかじめ設けた屋内配管１０との接続スペース等のための空間となっている。このため、支持台２の前方には作業用の開口部１１が、支持台２の内部には作業用の内部開口部１２が設けられており、開口部１１は着脱可能な第２の蓋体１３により、また内部開口部１２は着脱可能な内部蓋体１４によって覆われている。洗浄槽６内には洗浄水を噴射する水平ノズル１５を回転自在に設けるとともに、食器１６を収納する食器かご１７を配置している。洗浄槽６内の洗浄水はヒータ１８によって温められ、洗浄ポンプ１９にて排水口２０から吸い込まれ、水平ノズル１５に圧送される。水平ノズル１５より勢いよく噴射される洗浄水によって、食器かご１７に収納された食器１６を洗浄するように構成している。
【０００５】
【発明が解決しようとする課題】
このような従来の食器洗い機においては、図１２に示すように、食器洗い機本体１および支持台２をシステムキッチン３の内部に設置すると、システムキッチン３の中で例えば最下段の収納部２１の上端の高さＨ１と、第２の蓋体１３の上端の高さＨ２が一致しない場合があった。これは、収納部２１の上端が各システムキッチン製造業者間で統一されていないために必ず発生する課題であり、システムキッチン３全体としてのデザイン上の統一感に乏しい構成となっていた。
【０００６】
本発明は上記課題を解決するもので、第１の蓋体と前記第２の蓋体との隙間の位置が、上下方向に移動可能な構成とすることにより、システムキッチン全体の統一感をもたせ、デザイン性の優れた食器洗い機を提供することを目的としている。
【０００７】
【課題を解決するための手段】
本発明は上記目的を達成するために、食器洗い機本体と、この食器洗い機本体前方部に設けた第１の蓋体と、食器洗い機本体下方から前記食器洗い機本体を支持する支持台と、この支持台前方部に一定間隔で複数の高さ位置に設けた左右複数対の係止部のいずれか一対で係止される第２の蓋体とを備え、前記第１の蓋体は、蓋部Ａと、第１の蓋体の高さ寸法を調整する複数枚の調整部材Ａと、化粧板Ａと、この化粧板Ａを支持する枠体Ａを有し、前記第２の蓋体は、蓋部Ｂと、第２の蓋体の高さ寸法を調整する複数枚の調整部材Ｂと、化粧板Ｂと、この化粧板Ｂを支持する枠体Ｂを有し、前記調整部材Ａの高さ寸法と前記調整部材Ｂの高さ寸法と前記左右複数対の係止部の一定間隔とを等しくするとともに、前記調整部材Ａを必要枚数取り付けて前記第１の蓋体を前記食器洗い機本体に、前記調整部材Ａの取り付け枚数と同じ枚数前記調整部材Ｂを取り外して前記第２の蓋体を、前記調整部材Ａの取り付け枚数と等しい高さ下方にある一対の係止部で前記支持台に、それぞれ取り付けることにより、前記第１の蓋体の下端面と前記第２の蓋体の上端面の位置を、両者間の隙間寸法を一定に保ちつつ、それぞれ上下方向に複数段階に調整可能としたものである。
【０００８】
これにより、システムキッチンの中で例えば最下段の収容部の上端の高さと第２蓋体の上端の高さをそろえることができ、システムキッチン全体の統一感をもたせることができる。
【０００９】
【発明の実施の形態】
本発明の請求項１に記載の発明は、食器洗い機本体と、この食器洗い機本体前方部に設けた第１の蓋体と、前記食器洗い機本体下方から前記食器洗い機本体を支持する支持台と、この支持台前方部に一定間隔で複数の高さ位置に設けた左右複数対の係止部のいずれか一対で係止される第２の蓋体とを備え、前記第１の蓋体は、蓋部Ａと、第１の蓋体の高さ寸法を調整する複数枚の調整部材Ａと、化粧板Ａと、この化粧板Ａを支持する枠体Ａを有し、前記第２の蓋体は、蓋部Ｂと、第２の蓋体の高さ寸法を調整する複数枚の調整部材Ｂと、化粧板Ｂと、この化粧板Ｂを支持する枠体Ｂを有し、前記調整部材Ａの高さ寸法と前記調整部材Ｂの高さ寸法と前記左右複数対の係止部の一定間隔とを等しくするとともに、前記調整部材Ａを必要枚数取り付けて前記第１の蓋体を前記食器洗い機本体に、前記調整部材Ａの取り付け枚数と同じ枚数前記調整部材Ｂを取り外して前記第２の蓋体を、前記調整部材Ａの取り付け枚数と等しい高さ下方にある一対の係止部で前記支持台に、それぞれ取り付けることにより、前記第１の蓋体の下端面と前記第２の蓋体の上端面の位置を、両者間の隙間寸法を一定に保ちつつ、それぞれ上下方向に複数段階に調整可能としたものであり、第１の蓋体の下端面と第２の蓋体の上端面との間の隙間寸法を一定に保ちつつ、システムキッチンの中の最下段の収納部の上端の位置と第２の蓋体の上端の位置および最下段の収納部の下端の位置と第２の蓋体の下端の位置を合わせることによって、食器洗い機本体のデザイン性を損なうことなく、システムキッチン全体の蹴込みの高さを同一にすることができ、システムキッチン全体の統一感をもたせることができるため、デザイン性の優れた食器洗い機を提供することができる。また、小さな部材である調整部材を最小の種類だけ用意するだけでよく、調整部材を余分に用意する必要が無く、成形用の金型の費用を大幅に削減することができるため、安価で、デザイン性の優れた食器洗い機を提供することができる。
【００１０】
本発明の請求項２に記載の発明は、請求項１に記載の発明において、調整部材Ａと調整部材Ｂは同一形状としたものであり、２種の調整部材を兼用とすることにより、金型費用をさらに低減でき、また在庫管理等が非常に容易になり、サービス性の優れたものとすることができる。
【００１１】
本発明の請求項３に記載の発明は、請求項１または２に記載の発明において、調整部材Ａと蓋部Ａはねじで締結する構成とし、前記調整部材Ａは、前記蓋部Ａとの締結位置に、後方を開放した切り欠き部を有し、この切り欠き部の幅は、前記ねじのねじ頭部の直径よりも狭く、ねじ部の外径よりも広い寸法としたものであり、蓋部Ａに対して調整部材Ａを前方より取り付けることができるため、作業性に優れ、安価で、かつデザイン性の優れた食器洗い機を提供することができる。
【００１２】
本発明の請求項４に記載の発明は、請求項１〜３に記載の発明において、枠体Ａは、化粧板Ａを左右から支持するための第１の枠体と、前記化粧板Ａを下方から支持するための第２の枠体で構成したものであり、第１の蓋体の下端面と第２の蓋体の上端面との隙間の位置を調整できるとともに、第１の蓋体の大型化によって発生する輸送時の破損を防止することができるため、デザイン性に優れ、信頼性の高い食器洗い機を提供することができる。
【００１３】
本発明の請求項５に記載の発明は、請求項４に記載の発明において、第１の枠体の上方または下方の少なくとも一方に、調整切断用の溝部を設けたものであり、第１の蓋体の下端面と第２の蓋体の上端面との隙間の位置を調整するときに、第１の枠体の高さ寸法を切断によって調整することができるため、部品の共用化を図ることができるとともに、第１の蓋体の大型化によって発生する輸送時の破損を防止することができるため、デザイン性に優れ、信頼性が高く、安価な食器洗い機を提供することができる。
【００１４】
本発明の請求項６に記載の発明は、請求項４または５に記載の発明において、第２の枠体は、蓋部Ａと調整部材Ａを締結するために使用する工具を挿入できる挿入部を設けたものであり、第２の枠体を調整部材Ａに取り付けた状態で、蓋部Ａと調整部材Ａとを締結することができるため、デザイン性に優れ、作業性の良い、安価な食器洗い機を提供することができる。
【００１５】
【実施例】
以下本発明の実施例について、図面を参照しながら説明する。なお、従来例と同じ構成のものは同一符号を付して説明を省略する。
【００１６】
（実施例１）
図１は本発明の第１の実施例における食器洗い機の縦断面図、図２は同食器洗い機の要部拡大縦断面図、図３は同食器洗い機の分解斜視図、および図４は同食器洗い機のシステムキッチン内に設置した状態の斜視図である。
【００１７】
図１に示すように、食器洗い機本体２２は支持台２３の上に固定されており、支持台２３はシステムキッチン３内に設置されている。洗浄槽６は前方に第１の蓋体２４を設けており、この第１の蓋体２４は外箱４の前方の開口部を開閉する。
【００１８】
また、図２および図３に示すように、第１の蓋体２４の下部には、高さが寸法Ｌの第１の調整部材２５を固定する締結ねじ２６を装着するための下穴２７を設け、第１の調整部材２５の上面には下穴２７の対応位置に後方を開放した略Ｕ字状の切り欠き部２８を設けている。略Ｕ字状の切り欠き部２８の幅は、締結ねじ２６のねじ頭部の直径より狭く、ねじ部の外径より広くしている。また、第１の蓋体２４の上方部には下方に開口した凹溝部２９を設けている。第１の調整部材２５の下面には、第１の化粧板３０を支持する第１の枠体３１を固定する締結ねじ３２を装着するための下穴３３を設けている。第１の枠体３１は、第１の蓋体２４と第１の調整部材２５とを締結ねじ２６で固定した状態で、第１の化粧板３０を下方より凹溝部２９に挿入した後、第１の蓋体２４、第１の調整部材２５および第１の化粧板３０を一体にその左右と下方より覆い、左右は締結ねじ３４で、下方は締結ねじ３２で固定できるよう上方が開口した略コの字状となっている。第１の化粧板３０の上下方向の長さは、第１の蓋体２４に第１の調整部材２５を装着した場合の長さに設定している。また、第１の調整部材２５を使用する必要がない場合は、第１の枠体３１はその左右側の上端を切断して用いることができるものである。
【００１９】
一方、支持台２３の前方の開口部３５には、第２の蓋体３６を設けている。この第２の蓋体３６の前面には、第２の化粧板３７が設けられ、その外周には、第２の蓋体３６と第２の化粧板３７とを一体に固定するように略□状の第２の枠体３８が設けられている。
【００２０】
支持台２３の前方の開口部３５の左右には、第２の蓋体３６の上面部の左右に設けた穴３９を係止するための第１の係止部４０を設け、その下方に第２の係止部４１を設けている。第１の係止部３１と第２の係止部３２の高低差はＬである。第１の調整部材２５を使用する必要がない場合は、第１の係止部４０を使用し、また第１の調整部材２５を使用する場合は、第２の係止部４１を使用する。本実施例の場合は、第１の調整部材２５を使用しているため、第２の蓋体の穴３９は第２の係止部４１に係止した状態を図２に示している。他の構成は従来例と同一である。
【００２１】
上記の構成において、図２および図３に示すように、第１の調整部材２５を第１の蓋体２９の下方に装着する際、下穴３３にあらかじめ締結ねじ３２を仮止めした後、第１の調整部材２５の切り欠き部２８を介して前方から装着することができるため、組み立ての際の作業性が非常に良い構成である。
【００２２】
また、上記構成とすることにより、図４に示すように、第２の蓋体３６に装着した第２の枠体３８の上面の高さは、寸法Ｌだけ下方に移動することができ、床面からの高さをＨ１とすることができる。したがって、システムキッチン３内に設置した場合、第１の蓋体２９の長さ調整と、第２の蓋体３６の取り付け位置の調整によって、システムキッチン３の中で例えば最下段の収納部２１の上端の高さＨ１と、第２の蓋体３６に装着した第２の枠体３８の上面の高さを略横一直線にそろえることができるため、デザイン性の優れた食器洗い機を提供することができる。
【００２３】
また、各システムキッチン製造業者間で統一されていない例えば最下段の収納部２１の上端の高さＨ１に合わせるために、大きな部材である第１の蓋体２９を数種類用意する必要がなく、小さな部材である第１の調整部材２５を数種類用意するだけでよく、成形用の金型の費用を大幅に削減することができる。
【００２４】
なお、本実施例では、上方に開口部を有する洗浄槽を設けた食器洗い機としたが、前方に開口部を有する洗浄槽を設けた食器洗い機においても同様の効果を得られることは言うまでもない。
【００２５】
（実施例２）
図５は本発明の第２の実施例における食器洗い機の要部拡大縦断面図、図６は同食器洗い機の分解斜視図である。
【００２６】
図５および図６に示すように、第１の蓋体４２の下部には、高さが寸法Ｓの第２の調整部材４３を固定する締結ねじ４４を装着するための下穴４５を設け、第２の調整部材４３には下穴４５の対応位置に後方を開放した略Ｕ字状の切り欠き部４６を設けている。第１の蓋体４２の両側面には、化粧板４７を左右から支持する第３の枠体４８を固定する締結ねじ４９を装着するための下穴５０を設けており、第２の調整部材４３には、化粧板４７を下方より支持する第４の枠体５１を固定する締結ねじ５２を装着するための下穴５３を設けている。第３の枠体４８は、第１の蓋体４２の長さ調整が可能な範囲のうち最大の長さに設定しており、その下端には長さ調整時の切断用の溝部５４を寸法Ｓの間隔で複数個設けている。また、支持台２３の前方の開口部３５の左右には、第２の蓋体３６の上面部の左右に設けた穴３９を係止するための第３の係止部５５を高さ方向に寸法Ｓの間隔で複数の高さ位置で複数個設けている。その他の構成は、実施例１と同様である。
【００２７】
上記構成において、食器洗い機本体２２をシステムキッチン３内に設置する場合、例えば、食器洗い機本体２２の両側のキャビネットの最下段の収納部２１の上端の床面からの高さを寸法Ｈ１とする。このとき、第２の調整部材４３を第１の蓋体４２に取り付けない状態では、第２の蓋体３６に装着した第２の枠体３８の上面の高さは、寸法Ｌだけ高くなる。ここで、寸法Ｌ＝寸法Ｓ×３とすると、第１の蓋体４２に第２の調整部材４３を３個取り付ける。一方、第２の蓋体３６の穴３９を係止する係止部５５を最初の位置の係止部５５ａから寸法Ｓ×３分下方にある係止部５５ｂに変更すると、第１の蓋体４２と第２の蓋体３６との隙間を略一定に保ちながら、収納部２１の上端の高さＨ１と、第２の蓋体３６に装着した第２の枠体３８の上面の高さを略横一直線にそろえることができる。また、第１の枠体４８の長さは、下端に設けた溝部５４に沿って切断し、適正な長さに調整することによって第１の蓋体４２に的確に装着することができ、化粧板４７を支持することができる。
【００２８】
以上のように、本実施例においては、第１の蓋体３６の長さを複数段階に調整することができ、かつ第２の蓋体２９の取り付け位置も複数段階に調整することができるため、多くの種類のシステムキッチンに対して、食器洗い機本体３４をシステムキッチン内に設置したときの水平ラインを略一直線にすることができるため、より広い範囲のシステムキッチンに対してデザイン性の優れた食器洗い機を提供することができる。また、化粧板４７を支持する枠体を第２の枠体４８と第３の枠体５２に分割した構成とすることにより、部品の輸送時の破損を防止することができ、信頼性の高い食器洗い機を提供することができる。
【００２９】
なお、第３の係止部５５を高さ方向に複数個設けたが、１組の係止部を移動して高さを変更して使用しても、同等の効果を得ることは言うまでも無い。
【００３０】
（実施例３）
図７は本発明の第３の実施例における食器洗い機の要部拡大縦断面図、図８は同食器洗い機の分解斜視図である。
【００３１】
図７および図８に示すように、第１の蓋体５６の下部には、高さが寸法Ｌの第３の調整部材５７を固定する締結ねじ５８を装着するための下穴５９を設け、第３の調整部材５７の上面には下穴５９の対応位置に後方を開放した略Ｕ字状の切り欠き部６０を設けている。第１の蓋体５６の両側面には、化粧板６１を左右から支持する第５の枠体６２を固定する締結ねじ６３を装着するための下穴６４を設けており、第３の調整部材５７には、化粧板６１を下方より支持する第６の枠体６５を固定する締結ねじ６６を装着するための下穴６７を設けている。
【００３２】
第３の調整部材５７の下面および第６の枠体６５には、下穴５９の対応位置に、それぞれドライバー等の工具が挿入できる第１の貫通孔６８および第２の貫通孔６９を設けている。その他の構成は、実施例１と同様である。
【００３３】
上記の構成において、第１の蓋体５６の長さを調整する場合、まず、第３の調整部材５７に第６の枠体６５を装着し、その後、第６の枠体６５を装着した第３の調整部材５７を第１の蓋体４９に装着する。このとき、第３の調整部材５７の下面および第６の枠体６５にはドライバー等の工具を挿入できる第１の貫通孔６８および第２の貫通孔６９があるため、その第１の貫通孔６８および第２の貫通孔６９を介して、締結ねじ５８を容易に締め付けることができる。その後、化粧板６１を挿入して、左右から第５の枠体６２を取り付ける。第１の蓋体５６の長さが長くなると、第３の調整部材５７の下端と床面との間の距離が短くなり、ドライバー等の工具を用いる作業時に締結ねじ５８とドライバー等の工具との位置合わせが困難になるが、本構成であれば、比較的容易に作業することができる。
【００３４】
以上のように、本実施例においては、第１の蓋体５６の長さを調整する場合に、あらかじめ第３の調整部材５７に第６の枠体６５を装着してから第１の蓋体５６に締結することができ、比較的容易な作業とすることができるため、作業性が良く、デザイン性の優れた食器洗い機を提供することができる。
【００３５】
なお、本実施例では、工具貫通用の逃がし構成を貫通孔としたが、切り欠き等の逃し構成にしても、同様の効果を得られることは言うまでもない。
【００３６】
（実施例４）
図９は本発明の第４の実施例における食器洗い機の要部拡大縦断面図、図１０は同食器洗い機の分解斜視図である。
【００３７】
図９および図１０に示すように、支持台２３の前方の開口部３５の左右には、第２の蓋体７０の上部の左右に設けた穴７１を係止するための係止部５５を高さ方向に寸法Ｓの間隔で複数の高さ位置で複数個設けている。第２の蓋体７０の下部には、第４の調整部材７２を固定する締結ねじ７３を装着するための下穴７４を設けている。第２の蓋体７０の両側面には、化粧板７５を左右および上方から支持するための第７の枠体７６を固定する締結ねじ７７を装着するための下穴７８を設けている。化粧板７５を下方より支持する第８の枠体７９には、第４の調整部材７２に設けた下穴８０に相対する位置に、第４の調整部材７２に固定するための締結ねじ８１を挿入するための長穴８２を設けている。第２の蓋体７０の上下方向の寸法は、第２の蓋体７０の下部に第４の調整部材７２を５枚装着し、係止部５５の最上の位置にある係止部５５ａに係止したとき、支持台２３を含めたシステムキッチン３の蹴込みと第２の蓋体７０に取り付けた第８の枠体７９の最下面の水平ラインが略一定になるように設定している。第４の調整部材７２の厚みは、寸法Ｓである。第７の枠体７６の左右の長さは、第２の蓋体７０の高さ調整範囲の最大の場合の長さに設定している。その他の構成は、実施例２と同様である。
【００３８】
上記構成において、実施例２に記載のように、例えば、食器洗い機本体２２の両側のキャビネットの最下段の収納部２１の上端の床面からの高さに合わせるため、第１の蓋体４２に第２の調整部材４３を３個取り付ける。これに伴って、第２の蓋体７０の穴７１を係止する係止部５５を、係止部５５ａより寸法Ｓ×３下方にある係止部５５ｂに変更する。これにより、収納部２１の上端面と第２の蓋体７０の第７の枠体７６の上面との高さを一致させることができ、このとき、同時に、システムキッチン３の収納部２１の上端の水平ラインを略一直線にすることができる。これに伴って、第２の蓋体７０の第８の枠体７９の下面は、寸法Ｓ×３だけ、下方に移動してしまうため、第４の調整部材７２を３枚取り外し、２枚のみ残し、装着すれば、システムキッチン３の蹴込みの水平ラインを略一直線にすることができる。また、第７の枠体７６の左右の長さは、その下端を切断し調整することによって第２の蓋体７０に装着でき、高さを調整した化粧板７５を支持することができる。
【００３９】
以上のように、本実施例においては、第２の調整部材４３および第４の調整部材７２の枚数を調整することによって第１の蓋体４２および第２の蓋体７０の上下方向の長さを複数段階に調整することができ、かつ第２の蓋体７０の取付け位置も複数段階に調整することができるため、第１の蓋体４２と第２の蓋体７０との隙間寸法をより確実に略一定に保つことができるとともに、多くの種類のシステムキッチンに対して、食器洗い機本体２２をシステムキッチン内に設置したときの収納部および蹴込みの水平ラインを略一直線にすることができるため、デザイン性の優れた食器洗い機を提供することができる。
【００４０】
また、各システムキッチン製造業者間で統一されていない例えば最下段の収納部２１の上端の高さＨ１に合わせるために、大きな部材である第１の蓋体４２および第２の蓋体７０を数種類用意する必要がなく、小さな部材である第２の調整部材４３および第４の調整部材７２を複数枚用意するだけでよく、成形用の金型の費用を大幅に削減することができる。
【００４１】
なお、第２の調整部材４３および第４の調整部材７２を同一の形状とし、兼用とすることにより、金型費用をさらに低減でき、また在庫管理等が非常に容易になり、サービス性の優れたものとなる。
【００４２】
また、本実施例では、複数の調整部材での調整としたが、１個の調整部材を第１および第２の蓋体に装着可能な構成としても、同様の効果を得られることは言うまでもない。
【００４３】
【発明の効果】
本発明の請求項１〜６に記載の発明によれば、システムキッチンの中の最下段の収納部の上端の位置と、第２蓋体の上端の位置を合わせ、また、システムキッチン全体の蹴込みの高さを同一にすることができることによって、システムキッチン全体の統一感をもたせることができるため、デザイン性の優れた食器洗い機を提供できる。
【００４４】
また、小さな部材である調整部材を用意するだけでよく、成形用の金型の費用を大幅に削減することができ、大きな部品である第１の蓋体および第２の蓋体を数多く在庫に持つ必要がないため、在庫管理等を容易にすることができるため、安価な食器洗い機を提供することができる。また、２種の調整部材を同一形状として兼用するようにすれば、金型費用をさらに低減でき、また在庫管理等が非常に容易になり、サービス性の優れたものとすることができる。
【００４５】
さらに、第１の蓋体に対して調整部材を前方より取り付けることができるため、作業性に優れた、食器洗い機を提供することができる。
【図面の簡単な説明】
【図１】  本発明の実施例１における食器洗い機の縦断面図
【図２】  同食器洗い機の要部拡大縦断面図
【図３】  同食器洗い機の分解斜視図
【図４】  同食器洗い機のシステムキッチン内に設置した状態の斜視図
【図５】  本発明の実施例２における食器洗い機の要部拡大縦断面図
【図６】  同食器洗い機の分解斜視図
【図７】  本発明の実施例３における食器洗い機の要部拡大縦断面図
【図８】  同食器洗い機の分解斜視図
【図９】  本発明の実施例４における食器洗い機の要部拡大縦断面図
【図１０】  同食器洗い機の分解斜視図
【図１１】  従来の食器洗い機の縦断面図
【図１２】  同食器洗い機のシステムキッチン内に設置した状態の斜視図
【符号の説明】
２２  食器洗い機本体
２３  支持台
４２  第１の蓋体（第１の蓋体、蓋体Ａ）
４３  第２の調整部材（調整部材Ａ）
４７  化粧板（化粧板Ａ）
４８  第３の枠体（枠体Ａ）
５１  第４の枠体（枠体Ａ）
５５、５５ａ、５５ｂ  係止部
７０  第２の蓋体（第２の蓋体、蓋体Ｂ）
７２  第４の調整部材（調整部材Ｂ）
７５  化粧板（化粧板Ｂ）
７６  第７の枠体（枠体Ｂ）
７９  第８の枠体（枠体Ｂ）
【図１】
0004039081.tif 000002
【図２】
0004039081.tif 000003
【図３】
0004039081.tif 000004
【図４】
0004039081.tif 000005
【図５】
0004039081.tif 000006
【図６】
0004039081.tif 000007
【図７】
0004039081.tif 000008
【図８】
0004039081.tif 000009
【図９】
0004039081.tif 000010
【図１０】
0004039081.tif 000011
【図１１】
0004039081.tif 000012
【図１２】
0004039081.tif 000013